(57)【要約】【課題】平坦な底面を有するプロジェクター２０の載置台として用いることによりプロジェクター２０の投射姿勢を調整できるプロジェクター用保護カバー１０を提供すること。【解決手段】正面カバー１１を底面カバー１３から垂れ下げるとともに、上面カバー１２と補助カバー１５及び／又は背面カバー１４を連結することにより、保護カバー１０が側面から見て上面カバー１２を底辺とする三角形に組み立てる。底面カバー１３に載置して固定したプロジェクター２０は底面カバー１３と上面カバー１２の成す角度を仰角とする投射姿勢にセットされる。仰角は上面カバー１２の第３面ファスナー１９と第５面ファスナー１８及び／又は第４面ファスナー１７との連結位置をプロジェクター２０の前後方向へ変更することにより大きくしたり、小さく調整できる。【選択図】図６
2014052584.tif 000002
【特許請求の範囲】
【請求項１】
プロジェクターの少なくとも正面と背面及び上面と底面を覆うことのできるプロジェクター用保護カバーであって、
プロジェクターの正面を覆う正面カバーの一端に折曲線を介してプロジェクターの上面を覆う上面カバーを連接し、
正面カバーの他端に折曲線を介してプロジェクターの底面を覆う底面カバーを連接し、
底面カバーの反正面カバー側の端部に折曲線を介してプロジェクターの背面を覆う背面カバーを連接し、
背面カバーの反底面カバー側の端部に折曲線を介して補助カバーを連接し、
プロジェクターの底面に固着した第１連結部材に接合可能な第２連結部材を底面カバーの内面に固着し、
上面カバーの反正面カバー側の端部の外面に第３連結部材を固着し、
補助カバーの内面に第３連結部材に接合可能な第４連結部材を固着し、
背面カバーの内面に第３連結部材に接合可能な第５連結部材を固着したことを特徴とするプロジェクター用保護カバー。
【請求項２】
前記第１〜第５連結部材を面ファスナーで構成することを特徴とする請求項１に記載のプロジェクター用保護カバー。
【請求項３】
前記第１〜第５連結部材を磁石性ゴムシートで構成することを特徴する請求項１に記載のプロジェクター用保護カバー。
【発明の詳細な説明】
【技術分野】
【０００１】
本発明はプロジェクター用保護カバーに関し、より詳しくはプロジェクターの載置台として用いることができ、プロジェクターによる画像の投射姿勢を調整できるプロジェクター用保護カバーに関する。
【背景技術】
【０００２】
この種のプロジェクター用保護カバーの一形式として、特開２００４−１０９３５９号公報には、液晶プロジェクターの底面を覆う底面カバーの一端にヒンジを介して液晶プロジェクターの正面を覆う正面カバーを連接し、底面カバーの他端にヒンジを介して液晶プロジェクターの背面を覆う背面カバーを連接したプロジェクター用保護カバーが開示されている。
【０００３】
このプロジェクター用保護カバーの底面カバーの中央部には円形開口が形成されている。一方、液晶プロジェクターの底面には断面弧状の凸部が設けられている。
液晶プロジェクターで画像を投射するとき、正面カバーと背面カバーを折り返して底面カバーに折り重ね、液晶プロジェクターを底面カバーに載置し、液晶プロジェクターの底面の凸部を底面カバーの開口に垂直方向及び水平方向に摺動可能に嵌合する。
このプロジェクター用保護カバーによれば、液晶プロジェクターの底面の凸部が底面カバーの開口に垂直方向及び水平方向へ摺動可能に嵌合されるので、液晶プロジェクターの投射姿勢を調整できる。
【先行技術文献】
【特許文献】
【０００４】
【特許文献１】特開２００４−１０９３５９号公報
【発明の概要】
【発明が解決しようとする課題】
【０００５】
上記した従来のプロジェクター用保護カバーによれば、底面に凸部を設けた構造のプロジェクターの投射姿勢を調整できるものの、平坦な底面を有するプロジェクターの投射姿勢を調整することはできない。
本発明はかかる点に鑑み、平坦な底面を有するプロジェクターの載置台として用いることによりプロジェクターの投射姿勢を調整できるプロジェクター用保護カバーを提供することを目的とする。
【課題を解決するための手段】
【０００６】
請求項１に記載の発明は、プロジェクターの少なくとも正面と背面及び上面と底面を覆うことのできるプロジェクター用保護カバーであって、
プロジェクターの正面を覆う正面カバーの一端に折曲線を介してプロジェクターの上面を覆う上面カバーを連接し、
正面カバーの他端に折曲線を介してプロジェクターの底面を覆う底面カバーを連接し、
底面カバーの反正面カバー側の端部に折曲線を介してプロジェクターの背面を覆う背面カバーを連接し、
背面カバーの反底面カバー側の端部に折曲線を介して補助カバーを連接し、
プロジェクターの底面に固着した第１連結部材に接合可能な第２連結部材を底面カバーの内面に固着し、
上面カバーの反正面カバー側の端部の外面に第３連結部材を固着し、
補助カバーの内面に第３連結部材に接合可能な第４連結部材を固着し、
背面カバーの内面に第３連結部材に接合可能な第５連結部材を固着したことを特徴とする。
【０００７】
そして、好ましくは前記第１〜第５連結部材を面ファスナーで構成する。
また、好ましくは、前記第１〜第５連結部材を磁石性ゴムシートで構成する。
【発明の効果】
【０００８】
請求項１に記載の発明に係るプロジェクター用保護カバーをプロジェクターに装着するには、底面カバーにプロジェクターを載置し、底面カバーに対し正面カバーを折曲線から折り曲げてプロジェクターの正面に被せる。ついで、正面カバーに対し上面カバーを折曲線から折り曲げてプロジェクターの上面に被せる。そして、底面カバーに対し背面カバーを折曲線から折り曲げてプロジェクターの背面に被せ、さらに、背面カバーに対し補助カバーを折曲線から折り曲げて、上面カバーの外面に固着されている第３連結部材と補助カバーの内面に固着されている第４連結部材を接合して上面カバーと補助カバーを連結する。これによりプロジェクターの正面と背面及び上面と底面を覆うことができる。
【０００９】
このプロジェクター用保護カバーをプロジェクターの載置台として用いてプロジェクターの投射姿勢を調整するには、底面カバーにプロジェクターを載置し、プロジェクターの底面に固着した第１連結部材と底面カバーに固着した第２連結部材を接合してプロジェクターを底面カバーに固定する。
底面カバーに対して背面カバーを折曲線から折り曲げて背面カバーと補助カバーを底面カバーの外面に重ねる。一方、底面カバーに対して正面カバーを折曲線から折り曲げて底面カバーから垂れ下げる。垂れ下げた正面カバーに対して上面カバーを折曲線から折り曲げて第３連結部材を第５連結部材及び／又は第４連結部材に接合し、上面カバーと補助カバー及び／又は背面カバーを連結する。
【００１０】
正面カバーを底面カバーから垂れ下げるとともに、上面カバーと補助カバー及び／又は背面カバーを連結することにより、保護カバーが側面から見て上面カバーを底辺とする三角形に組み立てられる。このため、底面カバーに載置したプロジェクターは第１連結部材と底面カバーの第２連結部材によって底面カバーに固定され、底面カバーに固定されたプロジェクターは底面カバーと上面カバーの成す角度を仰角とする投射姿勢にセットされる。そして、仰角は上面カバーの第３連結部材と第５連結部材及び／又は第４連結部材との接合位置をプロジェクターの前後方向へ変更することにより大きくしたり、小さく調整できる。
【図面の簡単な説明】
【００１１】
【図１】本発明の一実施例に係るプロジェクター用保護カバーの内側を示す斜視図である。
【図２】同プロジェクター用保護カバーの外側を示す斜視図である。
【図３】同プロジェクター用保護カバーが装着されるプロジェクターを示す斜視図である。
【図４】同プロジェクター用保護カバーに載置したプロジェクターを示す斜視図である。
【図５】同プロジェクター用保護カバーで包み込んだプロジェクターを示す斜視図である。
【図６】同プロジェクター用保護カバーをプロジェクターの載置台として使用するときの使用方法を示す説明図である。
【図７】同プロジェクター用保護カバーをプロジェクターの載置台として使用するときの使用方法を示す説明図である。
【図８】同プロジェクター用保護カバーをプロジェクターの載置台として使用するときの使用方法を示す説明図である。
【実施例】
【００１２】
以下に本発明を図面に基づき説明するに、図１及び図２には本発明の一実施例に係るプロジェクター用保護カバー１０が示されている。また、図３にはこの保護カバー１０が固着される液晶プロジェクター２０が示されている。当該液晶プロジェクター２０は正面２１、背面２２、上面２３、底面２４及び左右両側面２５，２６からなる略直方体形状を有し、正面２１に投射レンズ２７が設けられている。上面２３には電源スイッチ、フォーカススイッチ、ズーミングスイッチ等の各種操作スイッチ２８が配設されている。プロジェクター２０の底面２４には第１面ファスナー２９（ベルベットファスナー）が貼着されている。
【００１３】
プロジェクター用保護カバー１０はプラスチックシート製で、正面カバー１１、正面カバー１１の一端に折曲線１０ａを介して連接した上面カバー１２、正面カバー１１の他端に折曲線１０ｂを介して連接した底面カバー１３、底面カバー１３の反正面カバー側端部に折曲線１０ｃを介して連接した背面カバー１４、背面カバー１４の反底面カバー側端部に折曲線１０ｄを介して連接した補助カバー１５から構成されている。
【００１４】
図１に示すように、底面カバー１３の内面に第２面ファスナー１６が貼着されている。また、補助カバー１５の内面に第４面ファスナー１７が貼着され、背面カバー１４の内面に第５面ファスナー１８が貼着されている。
【００１５】
一方、図２に示すように、上面カバー１２の反正面カバー側端部の外面に第３面ファスナー１９が貼着されている。
【００１６】
本実施例に係るプロジェクター用保護カバー１０及び液晶プロジェクター２０の構造は以上の通りであって、このプロジェクター用保護カバー１０をプロジェクター２０に装着するには、図４に示すように、底面カバー１３にプロジェクター２０を載置し、底面カバー１３の第２面ファスナー１６にプロジェクター２０の底面２４の第１面ファスナー２９を圧着してプロジェクター２０を底面カバー１３に固定する。次に、底面カバー１３に対して正面カバー１１を折曲線１０ｂから折り曲げてプロジェクター２０の正面２１に被せ、さらに正面カバー１１に対し上面カバー１２を折曲線１０ａから折り曲げてプロジェクター２０の上面２３に被せる。続いて、底面カバー１３に対し背面カバー１４を折曲線１０ｃから折り曲げてプロジェクター２０の背面２２に被せ、背面カバー１４に対し補助カバー１５を折曲線１０ｄから折り曲げて、上面カバー１２の外面に固着されている第３面ファスナー１９に補助カバー１５の内面に固着されている第４面ファスナー１７を圧着して上面カバー１２と補助カバー１５を連結する。これにより図５に示すように、プロジェクター２０の正面２１と背面２２及び上面２３と底面２４を保護カバー１０で覆うことができる。
【００１７】
このプロジェクター用保護カバー１０をプロジェクター２０の載置台として用いてプロジェクター２０の投射姿勢を調整するには、図４に示すように、底面カバー１３にプロジェクター２０を載置し、プロジェクター２０の底面２４に固着した第１面ファスナー２９を底面カバー１３に固着した第２面ファスナー１６に連結してプロジェクター２０を底面カバー１３に固定する。
【００１８】
次に、図６に示すように、底面カバー１３に対して背面カバー１４を折曲線１０ｃから折り曲げて背面カバー１４と補助カバー１５を底面カバー１３の外面に重ねる。続いて、底面カバー１３に対して正面カバー１１を折曲線１０ｂから折り曲げて底面カバー１３から垂れ下げる。さらに、垂れ下げた正面カバー１１に対して上面カバー１２を折曲線１０ａから折り曲げて、第３面ファスナー１９を第５面ファスナー１８及び／又は第４面ファスナー１７に圧着し、上面カバー１２と補助カバー１５及び／又は背面カバー１４を連結する。
【００１９】
このように、正面カバー１１を底面カバー１３から垂れ下げるとともに、上面カバー１２と補助カバー１５及び／又は背面カバー１４を連結することにより、図７に示すように、保護カバー１０が側面から見て上面カバー１２を底辺とする三角形に組み立てられる。このため、底面カバー１３に載置して固定したプロジェクター２０は底面カバー１３と上面カバー１２の成す角度を仰角とする投射姿勢にセットされる。そして、仰角は図８に示すように、上面カバー１２の第３面ファスナー１９と第５面ファスナー１８及び／又は第４面ファスナー１７との連結位置をプロジェクター２０の前後方向へ変更することにより大きくしたり、小さく調整できる。
【００２０】
なお、本実施例では連結部材として面ファスナー１６，１７，１８，１９，２９を用いたが、これに代えて磁石性ゴムシートを用いても同様の作用効果を奏することができる。
【符号の説明】
【００２１】
１０…プロジェクター用保護カバー
１１…正面カバー
１２…上面カバー
１３…底面カバー
１４…背面カバー
１５…補助カバー
１６…第２面ファスナー
１７…第４面ファスナー
１８…第５面ファスナー
１９…第３面ファスナー
２０…液晶プロジェクター
２１…正面
２２…背面
２３…上面
２４…底面
２９…第１面ファスナー
【図１】
2014052584.tif 000003
【図２】
2014052584.tif 000004
【図３】
2014052584.tif 000005
【図４】
2014052584.tif 000006
【図５】
2014052584.tif 000007
【図６】
2014052584.tif 000008
【図７】
2014052584.tif 000009
【図８】
2014052584.tif 000010